(57)【要約】      （修正有）【課題】防水作業の利便性を向上させるグランドアンカー保護管を提供する。【解決手段】グランドアンカー保護管１０は管体１２およびサイドキャップ２４を備える。サイドキャップ２４は管体１２の一端に装着されて管体１２との間が格納空間になる。管体１２は別の一端に格納空間と同軸上に繋がる開口部を有する。グランドアンカーのアンカー頭部は開口部から入り込む。管体１２はさらに格納空間と径方向に繋がる穿孔２０を有する。作業員は穿孔２０を介して格納空間に防水層を容易に注入し、注入過程においてサイドキャップ２４を介して防水層が格納空間の外部へ流出することを抑制することができる。【選択図】図１
0003225643.tif 000002
【実用新案登録請求の範囲】
【請求項１】
透明材質で製作され、
管体およびサイドキャップを備え、
前記サイドキャップは前記管体の一端に装着されて前記管体との間が格納空間になり、
前記管体は開口部および穿孔を有し、
前記開口部は前記管体の他端に形成され、前記格納空間と同軸上に繋がり、
前記穿孔は前記格納空間と径方向に繋がることを特徴とする、
グランドアンカー保護管。
【請求項２】
前記管体は小径部および前記小径部に繋がる大径部を有し、前記小径部の一端が前記サイドキャップに連結され、前記管体は前記小径部に前記穿孔を有し、前記大径部の一端に前記開口部を有することを特徴とする請求項１に記載のグランドアンカー保護管。
【請求項３】
前記大径部の軸方向長さは前記管体の軸方向長さの１／２以下であることを特徴とする請求項２に記載のグランドアンカー保護管。
【請求項４】
前記大径部の軸方向長さは前記管体の軸方向長さの１／２に等しいか、それより小さいことを特徴とする請求項３に記載のグランドアンカー保護管。
【請求項５】
受圧板、密封キャップ、請求項１から４のいずれか一つに記載のグランドアンカー保護管、および防水層を備え、
前記密封キャップは一端が前記受圧板に固定され、
前記グランドアンカー保護管は前記密封キャップ内に配置され、前記管体上の前記サイドキャップと反対側の一端が前記受圧板に当接し、
前記防水層は前記グランドアンカー保護管の前記格納空間内に配置されることを特徴とする、
グランドアンカー保護装置。
【考案の詳細な説明】
【技術分野】
【０００１】
本考案は地すべり土塊の地山や構造物を安定化するグランドアンカーに関し、詳しくはグランドアンカー保護管およびそれを使用するグランドアンカー保護装置に関するものである。
【背景技術】
【０００２】
特許文献１により開示されたグランドアンカー保護装置は透明キャップがアンカー頭部に被さり、透光性のある防水材料が透明キャップ内に注入されて透明キャップの端部の開口部に充満するものである。上述した構造の特徴により、検測作業員はアンカー頭部に関連する部品を取り外さないままアンカー頭部が腐食または損壊したか否かを目視で判断し、検測作業の利便性を向上させることができる。
【０００３】
グランドアンカーは水平または斜めに設置されることが一般的である。透明キャップの内部空間に防水材料を充填する作業を行う際、防水材料が透明キャップの内部空間内に凝固するまで別の補助工具に頼って防水材料を透明キャップの端部の開口部から流出させないように押さえなければならないため、作業員に手間を掛けるだけでなく、防水作業の難度がアップする。
【先行技術文献】
【特許文献】
【０００４】
【特許文献１】台湾実用新案Ｍ５６５２１９号公報
【考案の概要】
【考案が解決しようとする課題】
【０００５】
本考案は、防水作業の利便性を向上させるグランドアンカー保護管を提供することを主な目的とする。
【０００６】
本考案は、前記グランドアンカー保護管を使用するグランドアンカー保護装置を提供することをもう一つの目的とする。
【課題を解決するための手段】
【０００７】
上述した課題を解決するためのグランドアンカー保護管は、管体およびサイドキャップを備える。サイドキャップは管体の一端に装着されて管体との間が格納空間になる。管体は別の一端に格納空間と同軸上に繋がる開口部を有する。グランドアンカーのアンカー頭部は開口部から奥に格納される。管体はさらに格納空間と径方向に繋がる穿孔を有する。アンカー頭部の腐食を防止する防水層が穿孔から格納空間内に注入される。
【０００８】
本考案によるグランドアンカー保護管が直立状態でない（即ちグランドアンカー保護管のサイドキャップが上向きの状態でない）場合、上述した構造の特徴により、作業員は穿孔を介して格納空間に防水層を容易に注入できるだけでなく、注入過程においてサイドキャップを介して防水層が管体の外部へ流出することを抑制し、防水層を格納空間に充満させることができる。つまり、別の補助工具に頼らず防水層の注入作業を迅速かつ確実に完了させることができる。
【０００９】
比較的好ましい場合、管体は小径部および小径部に繋がる大径部を有し、小径部の一端がサイドキャップに連結される。管体は小径部に穿孔を有し、大径部の一端に開口部を有する。上述した構造の特徴により、本考案によるグランドアンカー保護管に密封キャップを被せる際、両者の間に十分な隙間を保って作業妨害を抑制し、着脱作業のスムーズさを向上させることができる。
【００１０】
比較的好ましい場合、大径部の軸方向長さは管体の軸方向長さの１／２以下である。
【００１１】
上述した課題を解決するための前記グランドアンカー保護管を使用するグランドアンカー保護装置は、さらに受圧板、密封キャップおよび防水層を備える。受圧板は擁壁に密着する。密封キャップはねじなどの締結部材によって一端が受圧板に固定される。グランドアンカー保護管は密封キャップ内に配置され、管体上のサイドキャップと反対側の一端が受圧板に当接する。防水層は穿孔から格納空間に注入され、グランドアンカーのアンカー頭部に防水効果を生じる。
【００１２】
本考案によるグランドアンカー保護管およびそれを使用するグランドアンカー保護装置の詳細な構造、特徴、組み立てまたは使用方法について、以下の実施形態の詳細な説明を通して明確にする。なお、以下の詳細な説明および本考案により提示された実施形態は本考案を説明するための一例に過ぎず、本考案の請求範囲を限定できないことは、本考案にかかわる領域において常識がある人ならば理解できるはずである。
【図面の簡単な説明】
【００１３】
【図１】本考案の一実施形態によるグランドアンカー保護管を示す斜視図である。
【図２】本考案の一実施形態によるグランドアンカー保護管を示す断面図である。
【図３】本考案の一実施形態によるグランドアンカー保護管を使用するグランドアンカー保護装置を示す断面図である。
【考案を実施するための形態】
【００１４】
以下、本考案によるグランドアンカー保護管およびそれを使用するグランドアンカー保護装置を図面に基づいて説明する。なお、明細書および請求項において、方向性用語は図面に示した方向に基づいて表現される。図中の同じ符号は同じ部品または類似した部品の構造の特徴を示す。
【００１５】
（一実施形態）
図１および図２に示すように、本考案の一実施形態によるグランドアンカー保護管１０は透明材質で一体成型され、管体１２およびサイドキャップ２４を備える。管体１２は小径部１４および小径部１４に繋がる大径部１６を有する。管体１２は小径部１４の一端がサイドキャップ２４に連結されて管体１２とサイドキャップ２４との間が格納空間１８になる。小径部１４はサイドキャップ２４の近くに穿孔２０を有する。穿孔２０は格納空間１８と径方向に繋がる。大径部１６は一端に開口部２２を有する。開口部２２は格納空間１８と同軸上に繋がる。
【００１６】
図３に示すように、グランドアンカー５０を設置する際、グランドアンカー保護管１０の管体１２は大径部１６の一端がコンクリートまたは合成鋼材から製作された受圧板３０に当接する。受圧板３０は擁壁５６の壁面に密着する。管体１２がグランドアンカー５０のアンカー頭部５４に被されば、グランドアンカー５０のアンカー頭部５４が管体１２の開口部２２から格納空間１８に入り込む。管体１２の開口部２２は擁壁５６に密着する受圧板３０に密封されるため、防水層３２は穿孔２０から格納空間１８に流入し、グランドアンカー５０のアンカー頭部５４を覆って防水効果を生じることができる。最後にグランドアンカー５０を保護するために金属製の密封キャップ３４をグランドアンカー保護管１０に被せて金属製の密封キャップ３４と受圧板３０を複数のボルト３６でまとめて固定すればよい。
上述した構造の特徴により、受圧板３０、グランドアンカー保護管１０、防水層３２および密封キャップ３４はグランドアンカー５０を安定させるグランドアンカー保護装置４０を構成できる。
【００１７】
管体１２の大径部１６の軸方向長さＬ１は管体１２の軸方向長さＬの１／２以下であるため、管体１２および密封キャップ３４が原因で組立作業を妨害することが発生しない。
【００１８】
本考案によるグランドアンカー保護管１０が直立状態でない（例えば水平または斜めに配置される）場合、上述した構造の特徴により、作業員は穿孔２０を介して格納空間１８に防水層３２を容易に注入できるだけでなく、注入過程においてサイドキャップ２４を介して防水層３２が格納空間１８の外部へ流出することを抑制し、防水層３２を格納空間１８に充満させることができる。つまり、別の補助工具に頼らず防水層３２の注入作業を迅速かつ確実に完了させ、設置作業の利便性を向上させることができる。
設置作業が完了した後、グランドアンカー保護管１０は透明な状態であり、防水層３２は透光性を有するため、検測作業員はテンドン５２が腐食または損壊したか否かを目視で判断し、検測作業の便をはかることができる。
【符号の説明】
【００１９】
１０  グランドアンカー保護管  
１２  管体  
１４  小径部  
１６  大径部  
１８  格納空間  
２０  穿孔  
２２  開口部  
２４  サイドキャップ  
３０  受圧板  
３２  防水層  
３４  密封キャップ  
３６  ボルト  
４０  グランドアンカー保護装置  
５０  グランドアンカー  
５２  テンドン  
５４  アンカー頭部  
５６  擁壁  
Ｌ  管体の軸方向長さ  
Ｌ１  大径部の軸方向長さ
【図１】
0003225643.tif 000003
【図２】
0003225643.tif 000004
【図３】
0003225643.tif 000005